(57)【要約】【課題】  排水機器または排水装置の位置を変更しても両者の接続を可能とする排水機器と排水装置との接続部材を提供することを目的とする。【解決手段】  排水を生じさせる排水機器１０と排水を排出口２２から排水配管へ排出させる排水装置２０とを接続する排水機器と排水装置との接続部材１であって、接続部材１は排水機器１０における排水の排出口となる機器開口部１１と、排水装置２０における排水導入口となる装置開口部２１とを連通させる筒状部２を備え、筒状部２が、弾性を有する軟質部材で構成されており、ジャバラ状に形成されている。【選択図】図１
2018096185.tif 000002
【特許請求の範囲】
【請求項１】
排水を生じさせる排水機器と排水を排水配管へ排出させる排水装置とを接続する排水機器と排水装置との接続部材であって、
前記接続部材は、
排水機器における排水の排出口となる機器開口部と、排水装置における排水導入口となる装置開口部との垂直方向又は水平方向の位置ずれを吸収する位置ずれ吸収部を備える
ことを特徴とする排水機器と排水装置との接続部材。
【請求項２】
前記接続部材は、硬質部材で構成されている
ことを特徴とする請求項１記載の排水機器と排水装置との接続部材。
【請求項３】
排水を生じさせる排水機器と排水を排水配管へ排出させる排水装置とを接続する排水機器と排水装置との接続部材であって、
前記接続部材は、
排水機器における排水の排出口となる機器開口部と、排水装置における排水導入口となる装置開口部とを連通させる筒状部を備え、
前記筒状部は、弾性を有する軟質部材で構成されている
ことを特徴とする排水機器と排水装置との接続部材。
【請求項４】
前記筒状部は、ジャバラ状に形成されている
ことを特徴とする請求項３記載の排水機器と排水装置との接続部材。
【請求項５】
前記接続部材の下端が、前記排水装置の上端を挟持して前記排水装置に接続されている
ことを特徴とする請求項３または４記載の排水機器と排水装置との接続部材。
【請求項６】
前記接続部材の下端が、前記排水装置の上端面に当接して前記排水装置に接続されている
ことを特徴とする請求項３または４記載の排水機器と排水装置との接続部材。
【請求項７】
前記接続部材の上端が、前記排水機器の機器開口部の縁を挟持して前記排水機器に接続されている
ことを特徴とする請求項３〜６のいずれか１項に記載の排水機器と排水装置との接続部材。
【発明の詳細な説明】
【技術分野】
【０００１】
本発明は、洗面台や流し台、浴槽等の排水機器と、排水を下水側へ排出する排水装置との接続部材に関する。
【背景技術】
【０００２】
洗面台、流し台、浴槽など、使用により排水を生じさせる各種の機器（以後「排水機器」と呼ぶ）と、排水を排水配管へと排出させる排水トラップ等の排水装置とを接続するために接続部材が用いられている。例えば、特許文献１では、この排水機器と排水装置との接続部材として、筒状部とフランジ部とで構成されるフランジ部材を用いてネジ螺合により接続することが開示されている。
【先行技術文献】
【特許文献】
【０００３】
【特許文献１】特開２００３−５６０３９号公報
【発明の概要】
【発明が解決しようとする課題】
【０００４】
しかしながら、上記特許文献１の接続部材では、排水機器の開口部と排水装置との開口部とが一致していなければならず、両者の位置決めが必要となり、排水機器または排水装置の位置を容易に変更することができないという問題がある。その結果、適用しうる排水配管レイアウトが限定され、リフォーム等の用途に適さないことにもなる。
【０００５】
そこで、本発明は、このような問題に鑑みなされたものであり、排水機器または排水装置の位置を変更しても両者の接続を可能とする排水機器と排水装置との接続部材を提供することを目的とする。また、排水装置や床下配管等の様々な排水配管レイアウトにも柔軟に対応することができる排水機器と排水装置との接続部材を提供することを目的とする。
【課題を解決するための手段】
【０００６】
上記の課題を解決するため、本発明に係る排水機器と排水装置との接続部材は、排水を生じさせる排水機器と排水を排水配管へ排出させる排水装置とを接続する排水機器と排水装置との接続部材であって、前記接続部材は、排水機器における排水の排出口となる機器開口部と、排水装置における排水導入口となる装置開口部との垂直方向又は水平方向の位置ずれを吸収する位置ずれ吸収部を備えることを特徴とする。
【０００７】
これにより、機器開口部と装置開口部との位置ずれを吸収するので、排水機器または排水装置の位置が変更されても両者の接続が可能な排水機器と排水装置との接続部材が実現可能となる。
【０００８】
ここで、前記接続部材は、硬質部材で構成されているとしてもよい。
【０００９】
また、本発明に係る排水機器と排水装置との接続部材は、排水を生じさせる排水機器と排水を排水配管へ排出させる排水装置とを接続する排水機器と排水装置との接続部材であって、前記接続部材は、排水機器における排水の排出口となる機器開口部と、排水装置における排水導入口となる装置開口部とを連通させる筒状部を備え、前記筒状部は、弾性を有する軟質部材で構成されているとしてもよい。
【００１０】
これにより、軟質部材で構成された筒状部が機器開口部と装置開口部との位置ずれを吸収するので、排水機器または排水装置の位置が変更されても両者の接続が可能な排水機器と排水装置との接続部材が実現される。
【００１１】
ここで、前記筒状部は、ジャバラ状に形成されているのが好ましい。
【００１２】
これにより、接続部材に水平方向および垂直方向への柔軟性が備わるので、排水装置や床下配管等の様々な排水配管レイアウトにも柔軟に対応することができる排水機器と排水装置との接続部材が実現される。
【００１３】
ここで、前記接続部材の下端が、前記排水装置の上端を挟持して前記排水装置に接続されているとしてもよく、また、前記接続部材の下端が、前記排水装置の上端面に当接して前記排水装置に接続されているとしてもよい。
【００１４】
さらに、前記接続部材の上端が、前記排水機器の機器開口部の縁を挟持して前記排水機器に接続されているのが好ましい。
【発明の効果】
【００１５】
以上のように、本発明に係る排水機器と排水装置との接続部材によれば、排水機器側の開口部と排水装置側開口部とを連通させる筒状部を、弾性を有する軟質部材で構成し、この筒状部がそれぞれの開口部に位置ずれが生じてもこれを吸収するので、排水機器または排水装置の位置を変更しても両者の接続が可能となる。また、排水装置や床下配管等の様々な排水配管レイアウトにも柔軟に対応することも可能となる。
【図面の簡単な説明】
【００１６】
【図１】排水機器と排水装置との接続状態を示す断面図である。
【図２】排水機器と排水装置との別の接続状態を示す断面図である。
【図３】排水機器と排水装置とを硬質接続部材で接続した状態を示す断面図である。
【図４】排水機器と排水装置とを硬質接続部材で接続した状態を示す断面図である。
【発明を実施するための形態】
【００１７】
以下、本発明に係る排水機器と排水装置との接続部材について図を参照しながら説明する。
【００１８】
図１は、排水機器と排水装置との接続状態を示す断面図である。
【００１９】
本実施形態に係る排水機器と排水装置との接続部材１は、洗面台、流し台や浴槽等の、使用により排水を生じさせる排水機器１０と、排水を排水配管へと排出させる排水トラップ等の排水装置２０とを接続するための部材である。接続部材１は、全体が筒状になっており、筒状部２によって排水機器１０における排水の排出口となる機器開口部１１と排水装置２０の排水導入口となる装置開口部２１とを連通させる。すなわち、排水機器１０の使用により生じた排水は、排水機器１０の底面に形成された機器開口部１１から筒状の接続部材１を経由して排水装置２０の装置開口部２１へ流れ込み、排出口２２から下水側へ排出される。なお、排水中に含まれるゴミや毛髪等は、装置開口部２１の入り口に設置された金属製の目皿２４によって捕集される。
【００２０】
接続部材１は、排水機器１０側の端部において排水機器１０の機器開口部１１の縁を挟持するように固定されている。また、排水装置２０側の装置側端部３においては、排水装置２０の上端に周方向へ突出して形成された装置フランジ部２３を挟持するように固定されている。
【００２１】
この接続部材１は、合成樹脂やゴム等の弾性を有する軟質部材で構成されており、筒状部２の中間部分はジャバラ状に形成されている。これにより、接続部材１は、水平方向および垂直方向への柔軟性を備えることになる。すなわち、機器開口部１１の位置と装置開口部２１の位置とが高さ方向や水平方向にずれている場合でも、接続部材１が位置ずれを吸収して、排水機器１０と排水装置２０とを接続することができる。
【００２２】
そのため、機器開口部１１に対して装置開口部２１の位置がずれた場合でも、反対に、装置開口部２１に対して機器開口部１１の位置がずれた場合でも、接続部材１によって排水機器１０と排水装置２０とを接続することができる。その結果、接続部材１は、排水装置２０が配管固定具によって予め固定されている場合や排水装置２０が台上に載置固定されている場合のような、既存の排水装置２０や床下配管等の位置が定まっているリフォームの用途にも適したものとなりうる。
【００２３】
図２は、排水機器と排水装置との別の接続状態を示す断面図である。
【００２４】
図１では、接続部材１が、装置側端部３において排水装置２０の上端に形成された装置フランジ部２３を挟持して接続されている例を示した。図２では、接続部材４が、装置側端部６において排水装置２０の上端面に当接して、排水機器１０と排水装置２０とを接続する例を示している。
【００２５】
接続部材４が、排水機器１０側の端部において機器開口部１１の縁を挟持するように固定されていれば、筒状部５の水平方向および垂直方向への柔軟性は発揮されるので、必ずしも図１に示した接続部材１のように排水装置２０側の下端側を固定しなくてもよい。
【００２６】
ここまで、排水機器と排水装置との接続部材について、軟質部材で構成された例を挙げたが、硬質部材で構成してもよい。
【００２７】
図３は排水機器と排水装置とを硬質接続部材で接続した状態を示す断面図であり、図４は排水装置を図３の位置から水平方向および垂直方向に位置をずらした状態を示している。
【００２８】
接続部材７は、プラスチックや金属等の硬質部材からなり、排水機器３０側に接続される機器側部材８と、排水装置４０側に接続される装置側部材９とによって構成されている。機器側部材８と装置側部材９とはＯリングを介して垂直方向に摺動可能に接続され、排水機器３０と排水装置４０との垂直方向の位置ずれを吸収できるようになっている。また、装置側部材９の下方に開口部を設け、この開口部に排水装置フランジ部４３を水平方向に移動させても載置できる遊びをもたせることで、排水装置４０の水平方向への位置ずれを吸収できるようにしている。このように、機器側部材８と装置側部材９とが機器開口部３１と装置開口部４１との位置ずれを吸収する位置ずれ吸収部として作用することにより、排水機器３０または排水装置４０の位置が変更されても両者の接続が可能となる。
【００２９】
以上、本発明に係る排水機器と排水装置との接続部材について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３０】
例えば、上記実施の形態では、接続部材が、排水機器側の端部において機器開口部の縁を挟持するように固定されている例を示したが、ビス止め等の他の方法によって排水機器側に固定されるとしてもよい。
【００３１】
また、上記実施形態では、接続部材全体を軟質部材で形成する例を示したが、中間部分のみを軟質部材とし、排水機器側や排水装置側の端部を別の硬質部材とするとしてもよい。
【００３２】
さらに、接続部材により接続される排水機器は、洗面台、流し台や浴槽に限られず、例えば、電気温水器やガス給湯器から排水されるドレン水を排水するためドレン水用防水パン等であってもよい。
【００３３】
また、接続部材により接続される排水装置も、排水トラップに限られず、トラップ機能を備えていない排水装置や排水エルボ等であってもよい。
【産業上の利用可能性】
【００３４】
本発明は、洗面台や流し台、浴槽等の排水機器と、排水を下水側へ排出するための排水トラップ等の排水装置との接続部材として有用である。
【符号の説明】
【００３５】
１，４，７    接続部材
２，５        筒状部
３，６        装置側端部
８            機器側部材
９            装置側部材
１０，３０    排水機器
１１，３１    機器開口部
２０，４０    排水装置
２１，４１    装置開口部
２２，４２    排出口
２３，４３    排水装置フランジ部
２４          目皿
【図１】
2018096185.tif 000003
【図２】
2018096185.tif 000004
【図３】
2018096185.tif 000005
【図４】
2018096185.tif 000006